【事件の表示】
　平成　５年特許願第２６８１２６号「撮像装置」拒絶査定不服審判事件〔平成　７年　４月２１日出願公開、特開平　７−１０７３５９〕について、次のとおり審決する。
【結　論】
　本件審判の請求は、成り立たない。
【理　由】
　
第一　経緯
　
１．手続
　本願は、平成５年９月３０日の出願である。
　本件は、本願についてされた拒絶査定（平成１６年１１月２２日付け）を不服とする平成１６年１２月２８日付けの審判の請求である。
　当審において、平成１８年１２月２８日付けで査定の理由とは異なる拒絶の理由を通知したところ、同通知において指定した期間内（平成１９年３月１２日付け）に手続補正書が提出された。
　
２．査定
　原査定の理由は、概略、下記のとおりである。
　　　　　記（査定の理由）
　本願の請求項１および請求項２に係る発明は、その出願前日本国内おいて頒布された下記の刊行物（引用例）に記載された発明及び周知技術に基づいて、当業者が容易に発明をすることができたものであるから、特許法第２９条第２項の規定により、特許を受けることができない。
　　　　　記
　引用例１：特開平５−３０４７１号公報
　引用例２：特開平５−９１４６０号公報
　引用例３：特開平５−１９１７０７号公報
　引用例４：特開平２−２１０３１２号公報
　引用例５：特開平５−２３６３１０号公報
　引用例６：特開平４−３６３９８８号公報
　
３．当審の拒絶の理由
　当審が平成１８年１２月２８日付けで通知した拒絶の理由は、概略、下記のとおりである。
　　　　　記（当審が通知した拒絶の理由）
　本願の請求項１および請求項２に係る発明は、その出願前日本国内おいて頒布された下記の刊行物に記載された発明及び周知技術に基づいて、当業者が容易に発明をすることができたものであるから、特許法第２９条第２項の規定により、特許を受けることができない。
　　　　　記
　刊行物１：特開平４−２３５７２号公報（新規引用）  
　刊行物２：特開平３−１８３２７３号公報（新規引用） 
　刊行物３：特開平２−１０７０８５号公報（既引用） 
　刊行物４：特開平４−３２１３８７号公報（新規引用） 
　刊行物５：特開平５−１４５８８６号公報（新規引用） 
　刊行物６：特開平５−６４０４３号公報（既引用） 
　刊行物７：特開平１−１７４１７７号公報（新規引用） 
　
第二　本願発明
　
　本願の請求項１に係る発明（本願発明）は、本願明細書および図面（平成１２年１０月２日付け、平成１５年５月２１日付け、平成１６年５月１０日付け、平成１７年１月２７日付け、および平成１９年３月１２日付けの各手続補正書により補正された明細書および図面）の記載からみて、特許請求の範囲の請求項１に記載した下記のとおりのものである。
　　　　　記（請求項１に係る発明）
　光学系を介して受光される被写体光を画像信号に変換する撮像手段と、
　前記撮像手段により変換された画像信号を解像度が高い第１の規格の画像信号から少なくともアスペクト比、走査線数を変換することによって当該第１の規格よりも解像度が低く、かつ当該第１の規格に対してアスペクト比が異なり走査線数が少ない第２の規格の画像信号に変換する変換手段と、
　前記第１の規格と前記第２の規格とを選択可能な選択手段と、
　前記選択手段により選択された規格が前記第１の規格の場合には前記第１の規格の画像信号に基づいて前記光学系の合焦制御を行うとともに、前記第２の規格の場合には前記変換手段により前記第２の規格の画像信号に変換される前の前記第１の規格の画像信号に基づいて前記光学系の合焦制御を行う合焦制御手段と
　を有することを特徴とする撮像装置。
　
第三　当審の判断
　
１．刊行物の記載
　当審の拒絶の理由において引用した刊行物１および刊行物２には、各々、以下の記載がある。
　
（１）刊行物１
　〈産業上の利用分野〉
　　（ア）「本発明は、撮像画像をハイビジョン信号に変換して出力するカメラ部を有するビデオカメラに関するものである。」（３頁右下欄９行〜11行）
　〈発明が解決しようとする課題〉
　　（イ）「ハイビジョンカメラのビューファインダでは、ハイビジョンの高解像度の画像を生かすために、水平走査線１１２５本の信号に対応したＣＲＴと、その制御回路が使用されている。
　しかし、ハイビジョンカメラが、一般家庭用として用いられる場合には、上記のような高解像度のファインダ画像は必要とされない上、現行ＮＴＳＣ方式のＣＲＴを用いたファインダと較べて、水平走査周波数が倍以上であるため、高圧発生部の独立安定化を始めとするＣＲＴ制御回路での消費電流が大となる短所があり、小型、低消費電力が要求される家庭用カメラでの実用には適さない。
　また、家庭用カメラとしては、撮影した映像信号の記録、映出を行なうＶＴＲモニタ等の映像機器に、現行方式のシステムを使用する場合にも、対応させる必要がある。」（３頁右下欄20行〜４頁左上欄15行）
　〈ハイビジョンカメラ、ダウンコンバータ〉
　　（ウ）「本発明は、ハイビジョンカメラの内部に、ダウンコンバータを内蔵させ、現行の例えばＮＴＳＣ方式のＣＲＴ及びＣＲＴ制御回路に最小限の変更を加えて、ファインダ部を低消費電力化すると共に、ダウンコンバータ信号を取り出し、現行方式のモニタ等の映像機器との使用を可能にするものである。」（４頁左上欄16行〜右上欄２行） 
　　（エ）「上記ダウンコンバータは、ハイビジョン信号をディジタル変換し、信号の走査線数を変換して減らし、信号の水平走査期間を時間伸長処理し、垂直同期パルス及び水平同期パルスを生成して、映像信号に付加し、白黒テレビジョン標準方式に変換した後、アナログ信号に変化して、ファインダ部に入力する。」（４頁右上欄17〜左下欄３行） 
　〈ハイビジョンカメラの詳細、第１図〉
　　（オ）「第１図は、ハイビジョンカメラを示したものであり、図中、１はカメラ部、１１はレンズ光学系、１２はカメラヘッド、１３はカメラ制御器、１４はカメラ信号出力端子、２はファインダ部、２１はＣＲＴ制御回路、２２はアスペクト比１６：９のＣＲＴ、３はダウンコンバータを示している。 
 　カメラ部１では、レンズ光学系１１により、被写体の光像が結像され、カメラヘッド１２に入力される。カメラヘッド１２は、撮像管等から構成され、赤，緑，青の信号を出方する。カメラ制御器１３は、輪郭補正、映像分配、同期信号発生器等からなり、赤，緑，青の信号のほか、輝度信号、赤色差信号、青色差信号を夫々出方し、これらは、カメラ信号出力端子１４より出力される。また、上記カメラ信号の内、輝度信号と同期信号は、各々ダウンコンバータ３に加えられる。 
 　ダウンコンバータ３は、ハイビジョン映像信号を、白黒テレビジョン標準方式の信号に変換するものであり、その構成は、第２図に示すとおりである。」（４頁右下欄２行〜５頁左上欄１行、図１）
　〈ハイビジョン信号とＮＴＳＣ信号の切換え、第12図〉
　　（カ）「以下に、上記目的の後者に対応して、ハイビジジョン対応のファインダを有するビデオカメラに、ダウンコンバータを内蔵する本発明の他の実施例を示すブロック図を、第１２図に示す。
　第１２図のブロック図において、２６はＣＲＴ制御回路、２７はＣＲＴ、及び、６８はビデオカメラ出力端子である。
　前記実施例と同様にして、カメラ部１より出力されたハイビジョンの輝度信号は、ファインダ部２のＣＲＴ制御回路２６に入力される。ＣＲＴ制御回路２６は、カメラ部１より水平同期信号を得、これを基準として、ＣＲＴ２７に、ハイビジョン輝度信号を走査、映出する。
　また、カメラ部１から、上記とは別に出力されたハイビジョン信号は、第９図に示した構成のダウンコンバータ３により、ＮＴＳＣ信号に変換される。上記により得られるハイビジョン信号とＮＴＳＣ信号は、映像機器への信号出力時に、スイッチ６４で、切り換えられる。
　以上により、ハイビジョンカメラの現行映像機器への対応が可能となる。」（８頁左下欄12行〜右下欄12行）
　〈発明の効果〉
　　（キ）「本発明によれば、カメラ部の出力信号にダウンコンバータを使用することで、ファインダ部は、制御回路に大幅な変更を加えることなく、ハイビジョンの１６：９の画像を映出することができる。
　また、ダウンコンバータで映像信号をＮＴＳＣ方式の信号に変換して、上記信号を外部出力することで、現行方式のモニタやＶＴＲの使用が可能となる。」（８頁左下欄14行〜右上欄１行）
　
（２）刊行物２
　〈産業上の利用分野〉
　　（ク）「本発明は、カメラシステム、詳しくは、記録方式をＮＴＳＣ，ＰＡＬ、ＳＥＣＡＭ、
ＨＤＴＶ
　〈課題を解決するための手段および作用〉
　　（ケ）「本発明のカメラシステムは、撮像素子と、少なくともこの撮像素子が該当するＴＶ方式に係る情報を保有するＴＶ方式情報保持手段とを含んでなり当該カメラ本体に着脱自在に構成された第１回路ユニットと、上記第１回路ユニットのＴＶ方式情報保持手段の保有情報を認識し、この認識に基づいて上記撮像素子のＴＶ方式等の仕様に適合した態様で同撮像素子を駆動するとともに、この撮像素子出力信号に上記ＴＶ方式等の仕様に適合した態様での信号処理を行うべく上記カメラ本体側に設けられた第２回路ユニットとを含んでなることを特徴とする。」（２頁４行〜15行）
　〈実施例〉
　　（コ）「着脱式ＣＣＤユニット９に内蔵のＥ２ＰＲＯＭ８に記憶されているＣＣＤ４準拠のＴＶ方式や撮像素子の仕様に関するデータは、ユニット９の装着状態において第２回路ユニットであるＣＰＵ３０によって読出され、そのデータに基づいて、上記ＳＳＧ回路７の垂直、水平同期信号やディジタルプロセス回路１２の各制御信号がコントロールされる。従って、該ＴＶ方式等に基づきＣＣＤ４以下のディジタルプロセス回路１２までの撮像記録系がコントロールされることになる。」（３頁右上欄３行〜12行）
　　（サ）「そして、該データに基づいてＳＳＧ回路１０やディジタルプロセス回路１２において該ＴＶ方式対応の各駆動周波数が出力され、あるいはＣＣＤ４の仕様に準じたＹ−Ｃ信号の分離、ガンマ補正のコントロールがなされる。」（４頁左下欄８行〜12行）
　　（シ）「また、前記Ｅ２ＰＲＯＭ８に記憶されているデータは、ＴＶ方式に関する情報と撮像索子（ＣＣＤ４）の仕様情報等であって、その項目は第２表に示される。
　第２表
　
　　　　項目
　１　　撮像素子が準拠しているＴＶ方式（ＮＴＳＣ、ＰＡＬ、ＳＥＣＡＭ　　　　、
ＨＤＴＶ
　２　　モノクロ／カラー
　３　　撮像素子の画素数
　４　　フィルタ情報
　５　　感度
　
　上記Ｅ２ＰＲＯＭ８のデータに基づきＴＶ方式の違いによってＳＳＧ１０は異なった周波数の同期信号を出力する必要があるが、例えばＮＴＳＣ方式とＰＡＬ方式の場合の同期信号の周波数の相違は第３表に示される。第３表（略）。
　更に、第２表に示されるようなＣＣＤ４固有のデータに基づいてディジタルプロセス回路１２がコントロールされるが、データに対応して変化する該回路１２の動作が対応する項目を第４表に示す。第４表（略）」（３頁左下欄末行から４行〜４頁左上欄５行）
　　（ス）「更に、
上記ディジタルプロセス回路１２から出力される輝度信号Ｙは
自動合焦制御回路であるＡＦ回路２５にも入力され、そのデータに基づいてＣＰＵ３０によりＡＦモータ２６が駆動され、撮影レンズｌａ、ｌｂの合焦が実行される。
　
２．対比
　本願発明と刊行物１に記載された発明とを対比すると、以下の対応が認められる。
　（ａ）光学系、撮像手段 
　刊行物１の「レンズ光学系１１」は、本願発明の「光学系」に相当し、「カメラヘッド１２」は、本願発明にいう「光学系を介して受光される被写体光を画像信号に変換する撮像手段」に相当する。 
　（ｂ）変換手段 
　（ｂ１）刊行物１の「ダウンコンバータ３」は、ハイビジョン信号をディジタル変換し、信号の走査線数を変換して減らし、信号の水平走査期間を時間伸長処理し、白黒テレビジョン標準方式に変換する。 
　（ｂ２）他方、ＮＴＳＣ方式（標準方式）は走査線数５２５本でアスペクト比４対３であり、ハイビジョンは走査線数１１２５本でアスペクト比１６対９であることは周知の事項である（刊行物１（記載キ、図１０）、刊行物４（段落0004）、刊行物５を参照）。 
　刊行物１の「ハイビジョン」および「標準方式」は、それぞれ、本願発明にいう「解像度が高い第１の規格」および「第１の規格に対してアスペクト比が異なり走査線数が少ない第２の規格」に相当する。 
　（ｂ３）そうすると、刊行物１の「ダウンコンバータ３」は、本願発明にいう「撮像手段により変換された画像信号を解像度が高い第１の規格の画像信号から少なくともアスペクト比、走査線数を変換することによって当該第１の規格よりも解像度が低く、かつ当該第１の規格に対してアスペクト比が異なり走査線数が少ない第２の規格の画像信号に変換する変換手段」に相当する。 
　（ｃ）選択手段
　刊行物１では、カメラ部１からのハイビジョン信号とＮＴＳＣ信号（ハイビジョン信号をダウンコンバータ３により変換したＮＴＳＣ信号）とは、スイッチ６４で切り換えられて映像機器へ出力される（記載カ、第12図）。
　本願発明にいう「第１の規格と第２の規格とを選択可能な選択手段」に相当する構成の開示が認められる。
　（ｄ）合焦制御手段 
　本願発明の「合焦制御手段」は、「カメラ制御手段」ともいうべきものである。
　刊行物１のカメラ部１は、レンズ光学系１１、カメラヘッド１２、カメラ制御器１３からなるところ、カメラ制御器１３では、輪郭補正、映像分配、同期信号発生などの処理を実行し、ハイビジョン信号をカメラ信号出力端子１４とダウンコンバータ３に出力するという動作を行っている。カメラ動作について何らかの制御を行なっており、これも「カメラ制御手段」とも言うべきものである。
　もっとも、カメラ制御器１３は「カメラ制御器」と称するも、その制御が本願発明のように「合焦制御（を行う）」まで含むとの記載はない。相違が認められる。 
　（ｅ）撮像装置 
　刊行物１のカメラ部１（レンズ光学系１１、カメラヘッド１２、カメラ制御器１３）、ダウンコンバータ３、切り換えスイッチ６４、ファインダ部２および出力端子６８からなる構成は、本願発明の「撮像装置」に相当する。
　
３．一致点・相違点
　本願発明と刊行物１記載の発明との一致点および相違点は、以下のとおりである。
　　　　　記（一致点） 
　光学系を介して受光される被写体光を画像信号に変換する撮像手段と、
　前記撮像手段により変換された画像信号を解像度が高い第１の規格の画像信号から少なくともアスペクト比、走査線数を変換することによって当該第１の規格よりも解像度が低く、かつ当該第１の規格に対してアスペクト比が異なり走査線数が少ない第２の規格の画像信号に変換する変換手段と、
　前記第１の規格と前記第２の規格とを選択可能な選択手段と、
　カメラ制御手段と 
　を有する撮像装置。 
　　　　　記（相違点）　 
　本願発明では、カメラ制御手段が、「選択手段により選択された規格が第１の規格の場合には第１の規格の画像信号に基づいて光学系の合焦制御を行うとともに、第２の規格の場合には変換手段により第２の規格の画像信号に変換される前の第１の規格の画像信号に基づいて光学系の合焦制御を行う合焦制御手段」を有するのに対して、刊行物１には、「合焦制御を行う（合焦制御手段）」ことについて記載がない点。 
　
４．相違点等の判断 
　〈相違点について〉
　（ａ）刊行物１
　（ａ１）刊行物１は、従来、ハイビジョンカメラのビューファインダとしては、ハイビジョンの高解像度画像（水平走査線１１２５本）に対応したＣＲＴおよびＣＲＴ制御回路が使用されているところ、ハイビジョンカメラを家庭用として用いる場合には、高解像度のファインダ画像は必要とされず、むしろ現行システム（ＶＴＲモニタ等）に対応させる必要があったところへ（記載イ）、ハイビジョンカメラ部の出力信号にダウンコンバータを使用することで、制御回路に大幅な変更を加えることなく、現行方式のモニタやＶＴＲの使用を可能としたものである（記載キ）。すなわち、ハイビジョンカメラが独立したカメラシステムであることを前提とし、その周辺装置（ファインダ、ＶＴＲ等）として現行システムを使用する際の課題を、ダウンコンバータを付加（内蔵）することにより解決した経緯が認められる。
　一方、合焦は、撮像装置の動作上不可欠な制御項目であるところ、同制御は、撮像した画像信号に基づいて光学系を制御するのが通常であり、その制御過程は撮像装置の内部において閉じ完結したものである。そうすると、刊行物１においても、ダウンコンバータを付加（内蔵）する前のハイビジョンカメラ（カメラ部１）を独立したカメラシステムと見ることができる以上、既に、その何処かにおいて合焦制御を行っていることは明らかである。 
　（ａ２）また、カメラ部１の外部にダウンコンバータを備えＮＴＳＣ信号に変換をしていることから、カメラ部１の内部ではハイビジョン信号を取り扱い、これとは異なる方式の信号は生成・利用されていないと理解するのが自然である。
　（ｂ）刊行物２
　刊行物２には、ＮＴＳＣ，ＰＡＬ、ＳＥＣＡＭ、ＨＤＴＶ等のＴＶ方式に準拠する撮像素子（ＣＣＤ４）が組み込まれたカメラにおいて、組み込まれたＣＣＤ４が準拠するＴＶ方式に対応して、ＣＣＤ４以下のＳＳＧ回路１０（ＴＶ方式対応の駆動周波数）やディジタルプロセス回路１２（ＣＣＤ４の仕様に準じたＹ−Ｃ信号の分離等）までの撮像記録系をコントロールすることが記載されている。そして、ディジタルプロセス回路１２から出力される各ＴＶ方式に対応した輝度信号Ｙを、自動合焦制御回路（ＡＦ回路２５）にも入力し、ＡＦモータ２６を駆動し撮影レンズｌａ、ｌｂの合焦を実行することが記載されている。ここで、撮像素子（ＣＣＤ４）の準拠するＴＶ方式がＨＤＴＶであるときは、輝度信号ＹもＨＤＴＶ方式に準拠する信号であり、したがって、自動合焦制御（ＡＦ回路２５）はＨＤＴＶ方式に準拠する信号により実行されることになる。
　刊行物２には、ＨＤＴＶ方式（第１の規格）に準拠する撮像素子を有するカメラが、ＨＤＴＶ方式（第１の規格）の信号に基づいて「自動合焦制御」を実行する構成が記載されている。
　（ｃ）小括
　上記相違点に係る構成は、刊行物１に係る上記理解に基づき、そのカメラ部１（レンズ光学系１１、カメラヘッド１２、カメラ制御器１３）において、刊行物２に記載の上記構成を参酌することにより、当業者が容易になし得ることである。 
　〈効果等について〉
　本願発明の効果についても、刊行物１および刊行物２の記載から予測することができる程度のものにすぎない。 
　
５．まとめ
　以上、本願発明は、刊行物１及び刊行物２に記載された発明に基づいて当業者が容易に発明をすることができたものである。
　
第四　むすび
　
　以上、本願の請求項１に係る発明は、刊行物１及び刊行物２に記載された発明に基づいて当業者が容易に発明をすることができたものであるから、特許法第２９条第２項の規定により特許を受けることができない。
　したがって、残る請求項２に係る発明について特に検討するまでもなく、本願は拒絶をすべきものである。
　よって、結論のとおり審決する。